(57)【要約】【課題】従来のサーチライト兼用液晶表示装置は、バックライトを液晶表示装置から取り外し単体で照明装置として使用することができなかった。【解決手段】上記課題を解決するために、ユニット化されたバックライト部を備えた液晶表示装置であって、前記バックライト部は、装置本体を分解することなく着脱可能であり、装置本体に着状態で装置本体から電源供給を受ける第一供給部と、装置本体と脱状態で装置本体とは別経路で電源供給を受ける第二供給部と、を有する液晶表示装置を提供する。【選択図】図１
2013125153.tif 000002
【特許請求の範囲】
【請求項１】
ユニット化されたバックライト部を備えた液晶表示装置であって、
前記バックライト部は、
装置本体を分解することなく着脱可能であり、
装置本体に着状態で装置本体から電源供給を受ける第一供給部と、
装置本体と脱状態で装置本体とは別経路で電源供給を受ける第二供給部と、を有する液晶表示装置。
【請求項２】
装置本体は、前記バックライト部を着状態で固定する第一固定部を有し、
前記バックライト部は、装置本体に着状態で第一固定部に対して固定される第二固定部を有し、
前記第一固定部又は／及び第二固定部は、装置本体の電源によって駆動される電磁石を用いて固定機能を実現する請求項１に記載の液晶表示装置。
【請求項３】
前記バックライト部は、
装置本体に着状態で装置本体から電源供給を受けて蓄電可能であるとともに、装置本体と脱状態で前記第二供給部への電源供給が可能な蓄電部を有する請求項１又は２に記載の液晶表示装置。
【請求項４】
前記バックライト部は、装置本体からスライド動作によって着脱可能とするスライド機構部を有する請求項１から３のいずれか一に記載の液晶表示装置。
【発明の詳細な説明】
【技術分野】
【０００１】
本発明は、液晶表示装置に備わるバックライトを照明装置として用いることができる液晶表示装置に関する。
【背景技術】
【０００２】
液晶表示装置は、画像を表示するための液晶パネルとこれを照らすための光源としてのバックライトとで構成されている。このバックライトを、液晶パネルを照らすだけでなく、サーチライトとしても使用できるようにしたサーチライト兼用液晶テレビが提案されている。具体的には、液晶パネルをバックライトに対して蓋のように開閉自在に軸支し、この液晶パネルを開けることでバックライトから照射される光が液晶パネルに妨げられることがなくなり、サーチライトとしても使用できるようになっている。
【先行技術文献】
【特許文献】
【０００３】
【特許文献１】特開平１０−１６１１１５号公報
【発明の概要】
【発明が解決しようとする課題】
【０００４】
特許文献１のサーチライト兼用液晶テレビは、液晶パネルを退去可能にすることで、照明としての機能を果たすことができる。しかし、液晶パネルとバックライトとを分離することはできず一体のままであるため、バックライト単体を照明として使用することはできない。したがって、小型の電子機器に採用する場合には持ち運ぶにあたり問題とならないが、据え置いて視聴することを想定した中型乃至大型の液晶表示装置に採用する場合には、持ち運びのできる照明装置として利用することは困難である。
【課題を解決するための手段】
【０００５】
上記課題を解決するための手段として、以下の発明などを提供する。すなわち、第一の発明として、ユニット化されたバックライト部を備えた液晶表示装置であって、前記バックライト部は、装置本体を分解することなく着脱可能であり、装置本体に着状態で装置本体から電源供給を受ける第一供給部と、装置本体と脱状態で装置本体とは別経路で電源供給を受ける第二供給部と、を有する液晶表示装置を提供する。
【０００６】
第二の発明として、装置本体は、前記バックライト部を着状態で固定する第一固定部を有し、前記バックライト部は、装置本体に着状態で第一固定部に対して固定される第二固定部を有し、前記第一固定部又は／及び第二固定部は、装置本体の電源によって駆動される電磁石を用いて固定機能を実現する第一の発明に記載の液晶表示装置を提供する。
【０００７】
第三の発明として、前記バックライト部は、装置本体に着状態で装置本体から電源供給を受けて蓄電可能であるとともに、装置本体と脱状態で前記第二供給部への電源供給が可能な蓄電部を有する第一の発明又は第二の発明に記載の液晶表示装置を提供する。
【０００８】
第四の発明として、前記バックライト部は、装置本体からスライド動作によって着脱可能とするスライド機構部を有する第一の発明から第三の発明のいずれか一に記載の液晶表示装置を提供する。
【発明の効果】
【０００９】
本発明により、バックライトを装置本体と着脱可能にすることで、持ち運びの容易な照明装置として用いることが可能となる。
【図面の簡単な説明】
【００１０】
【図１】実施形態１の液晶表示装置を表す概念図
【図２】実施形態１の液晶表示装置の機能ブロックの構成の一例を示す図
【図３】実施形態２の液晶表示装置を表す概念図
【図４】実施形態２のバックライト部がスライド機構部を有する液晶表示装置の概念図
【発明を実施するための形態】
【００１１】
以下、本発明の実施の形態について説明する。なお、本発明は、これらの実施形態に何ら限定されるべきものではなく、その要旨を逸脱しない範囲において、種々なる態様で実施し得る。
【００１２】
実施形態１は、主に請求項１、３について説明する。実施形態２は、主に請求項２、４について説明する。
＜実施形態１＞
＜実施形態１  概要＞
【００１３】
本実施形態は、バックライトを装置本体と着脱可能に構成し、脱状態でバックライトに電源を供給するための経路を備えることにより、バックライト単体を照明装置として用いることが可能となる。図１は、本実施形態に係る液晶表示装置を表す概念図である。図１（ａ）に示すように、通常時は一般的な液晶表示装置と同様に使用することが可能である。一方、図１（ｂ）に示すように、災害などにより停電した場合などにおいては、装置本体０１０１の側面からバックライト部０１０２をスライドさせて取り外し、照明装置として使用することができる。このときバックライト部への電源供給は、例えば、乾電池や内蔵する蓄電池などにより行う。バックライト部だけを取り外すため、持ち運びの容易な照明装置として使用することが可能である。
＜実施形態１  構成＞
【００１４】
本実施形態の液晶表示装置の機能ブロックの構成の一例を図２に示す。液晶表示装置０２００は、装置本体０２０１と、バックライト部０２０２と、からなる。
【００１５】
ここで、本装置の機能ブロックは、ハードウェア、ソフトウェア、またはハードウェアおよびソフトウェアの両方として実現され得る。具体的には、コンピュータを利用するものであれば、ＣＰＵやＲＡＭ、バス、あるいは補助記憶装置（不揮発性メモリ、メモリカードなどの記憶メディアとそれらメディアのリーダライタなど）、表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００１６】
また、これらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、および同製品を記憶媒体に固定した記憶媒体も、当然にこの発明の技術的な範囲に含まれる（本明細書の全体を通じて同様である）。
【００１７】
装置本体０２０１は、図示するようにチューナ、デコーダ、画像処理手段、ＬＣＤコントローラ、液晶パネル、音声処理手段、音声アンプ、スピーカなどを備える受信／出力部０２０４と、受信／出力部の各回路に電源を供給するための電源部０２０３を備える。電源部は、バックアップ電源、ＰＦＣ、ＤＣ／ＤＣコンバータ、マイコンなどを備え、バックライト部に電源を供給するためのＤＣ出力コネクタ０２０８を備える。
【００１８】
バックライト部０２０２は、ユニット化されている。「ユニット化されたバックライト部」は、バックライトとしての機能を果たすために一体化されており、また、装置本体と切り離された状態においてもバックライトとしての機能を果たし得るように構成されるものである。すなわち、バックライト部の構成が、装置本体との着脱を予定したものとなっている。このように構成することにより、バックライト部は、装置本体を分解することなく着脱可能となっている。
【００１９】
バックライト部の着脱の態様は、図１に示したように据置き状態の装置本体から水平方向に抜き出すように取り外しができるようにしてもよいし、装置本体から垂直方向に持ち上げるように取り外しができるようにしてもよい。また、装置本体とバックライト部との着脱を規制するためのロック機構を備えていてもよい。このようなロック機構は、手動により制御されるように構成してもよいし、装置本体における通電状態に応じて制御されるように構成してもよい。
【００２０】
バックライト部は、第一供給部０２０５と第二供給部０２０６と、第一供給部と第二供給部との切り替えを行うための切替ＳＷと、発光機能を果たすバックライトなどを備える。なお、バックライトは、例えば、蛍光管、冷陰極管、発光ダイオード（ＬＥＤ）などにより実現され、いずれかに限定するものではない。
【００２１】
第一供給部０２０５は、装置本体に着状態で装置本体から電源供給を受ける機能を有する。装置本体からの電源供給は、例えば、装置本体に備えられるＤＣ出力コネクタ０２０８と電気的に接続されることにより行われる。
【００２２】
バックライト部は、装置本体に着状態となっているときは、装置本体による制御を受け、通常の液晶表示装置におけるバックライトの機能を果たす。着状態において、第一供給部は、装置本体から電源供給を受けるだけでなく、このような制御のための信号を併せて受けることができるように構成してもよい。係る場合においては、制御信号等を受けるための経路や接続を別途設けることなく簡易に装置本体との着脱が行い得る。
【００２３】
第二供給部０２０６は、装置本体と脱状態で装置本体とは別経路で電源供給を受ける機能を有する。別経路での電源供給には、例えば、乾電池や蓄電池などからの電源供給がある。蓄電池の場合には、バックライト部が蓄電池を内蔵するように構成してもよい。また、発電機からの電源供給を受けられるように構成してもよい。発電機の種別はとくに限定するものではなく、内燃機関によるものや太陽光、風力、水力、人力などによるものであってもよい。また、商用電源から電源供給を受けて、直流に変換するためのアダプタなどを備えていてもよい。
【００２４】
第一供給部と第二供給部との切り替えは、例えば、第一供給部に印加される電圧がなくなることにより第二供給部に切り替わる回路を配置してもよいし、バックライト部が蓄電池を内蔵する場合には、係る蓄電池により駆動されるマイコンなどにより第一供給部と第二供給部との電源供給経路を切り替える制御をするように構成してもよい。
【００２５】
バックライト部は、第二供給部から電源供給を受けることでバックライトを発光させることが可能となる。これにより、バックライト部を装置本体から取り外し、バックライト部単体にて持ち運びやすい照明装置として使用することができる。
【００２６】
また、停電時の非常用照明装置としてより実用的にするうえでは、バックライト部が蓄電部を有する構成がより好ましい。すなわち、バックライト部が、装置本体に着状態で装置本体から電源供給を受けて蓄電可能であるとともに、装置本体と脱状態で前記第二供給部への電源供給が可能な蓄電部を有する構成とすることである。
【００２７】
ここで、蓄電部は、蓄電池やキャパシタなどの充放電可能な電力機器により実現される。これにより、他の発電機や電池などに依らず発光が可能となるとともに、着状態において蓄電される。この構成によれば、停電が生じた場合には、バックライト部を装置本体から取り外すことで直ちに照明機能が発揮され、非常用照明装置としてより実用的となる。
【００２８】
また、装置本体が待機状態やスタンバイ状態にあるときには蓄電部への電源供給を行わないように制御してもよい。これにより、待機状態などにおける電力消費を抑えることが可能となる。また、蓄電部の蓄電残量を検知可能としてもよい。例えば、残量が所定値以下になった場合には、待機状態であっても蓄電部への電源供給を行うように構成してもよい。これは、非常用照明装置としてバックライト部を見た場合、常に所定量の蓄電がなされていることが好適であるからである。なお、上述したような蓄電部への電源供給の制御はバックライト部において行うように構成してもよいが、装置本体で行う方が、バックライト部の軽量化や機構の簡素化を図ることができ非常用照明装置としてより持ち運びやすくすることができ好ましい。
【００２９】
なお、ユニット化されたバックライト部は、脱状態においてバックライトの発光のオン・オフを切り替えるスイッチ部を備えるようにしてもよい。また、輝度乃至照度を調整可能とするための調整部や、点滅させるための制御部を備えるように構成してもよい。
【００３０】
さらに非常用照明装置としての効果を高めるために、例えば、より遠くまで照射できるように光束を集中させるためのレンズなどをバックライトに付加し得るように構成したり、赤色や黄色などのように認知されやすい光色を発するためのフィルターを付加し得るように構成したりしてもよい。
＜実施形態１  効果＞
【００３１】
本実施形態の液晶表示装置により、バックライト部単体で発光させることができ、持ち運びの容易な照明装置として利用することが可能となる。
＜実施形態２＞
＜実施形態２  概要＞
【００３２】
本実施形態の液晶表示装置は、装置本体の電源によって駆動される電磁石を用いて装置本体とバックライト部との着脱を規制する。例えば、装置本体に当該電磁石を取り付け、バックライト部には着状態で当該電磁石により吸着されるための金属部材を取り付けておく。このようにすることで、着状態においては、電磁石は通電により磁化され前述の金属部材を吸着することで着脱が規制される。一方、停電が生じた場合には、電磁石は磁化されず金属部材を吸着せず着脱は規制されず、バックライト部を装置本体から取り外すことができる。
＜実施形態２  構成＞
【００３３】
本実施形態に係る液晶表示装置は、実施形態１を基本とし、装置本体は、バックライト部を着状態で固定する第一固定部を有し、バックライト部は、装置本体に着状態で第一固定部に対して固定される第二固定部を有する。そして、第一固定部又は／及び第二固定部は、装置本体の電源によって駆動される電磁石を用いて固定機能を実現する。
【００３４】
図３は、本実施形態に係る液晶表示装置を説明するための概念図であり、図１に示したように装置本体の側面からバックライト部を水平方向に取り出せるように構成した例における図である。装置本体０３０１、０３０２には、装置本体の電源によって駆動される電磁石０３０３が備わる。一方、バックライト部０３０４には、バックライト部から突出可能であるとともに、その突出が一定の範囲に限られる金属部材０３０５が備わる。この場合において、当該電磁石が第一固定部に該当し、突出が一定範囲で規制される金属部材が第二固定部に該当する。そして、図３（ａ）は、バックライト部が着状態であるときを示すものであり、図３（ｂ）は、バックライト部が脱状態であるときを示している。
【００３５】
まず、図３（ａ）に示す着状態においては、装置本体の電磁石に電流が流れることにより、この電磁石は磁化されている。これにより、バックライト部の金属部材は電磁石に吸着されて固定される。この金属部材が電磁石に吸着されて固定されることで、バックライト部を水平方向に動かすことができなくなり、装置本体から取り外すことができなくなる。
【００３６】
一方、図３（ｂ）に示す脱状態において、装置本体から電磁石に対する通電を停止することにより、この電磁石は磁化されないことになる。したがって、バックライト部の金属部材を吸着することはなく、金属部材は突出することなくバックライト部に収納される。このようにして、バックライト部は装置本体から取り外すことができる。
【００３７】
電磁石を装置本体における電源によって駆動することにより、装置本体とバックライト部との着脱の規制が、装置本体の電源と連動させることが可能となる。すなわち、通常時の通電状態においては着脱が規制されるが、停電により装置本体への電源供給が喪失した場合には、電磁石による第一固定部と第二固定部との固定が解除され、別途操作を行うことなく直ちにバックライト部を取り外すことができる。したがって、災害時などにより停電が生じた場合に、速やかに照明装置としてバックライト部を使用することが可能となる。
【００３８】
以上、第一固定部が電磁石で、第二固定部がこれに吸着される金属部材であるとして説明を行ったが、電磁石を第一固定部ではなく第二固定部に用いてもよいし、第一固定部及び第二固定部の両者に用いてもよい。また、電磁石に対する通電の停止が、手動により行われるように構成してもよい。
【００３９】
また、停電状態が解消され通電が復帰したときに、バックライト部が装置本体から脱状態となっている場合には、電磁石を用いた第一固定部又は／及び第二固定部の固定機能が直ちに作動しないための制御を行う作動制御部を備えることが好ましい。例えば、停電時に取り外されたバックライト部が、停電解消後に装置本体に取り付けられて着状態になったことを検知した後に、上記の固定機能が作動するように構成することが好ましい。このような検知や制御は、センサや電気的な接続の有無により行ったり、機械的な機構を用いて行うことが可能である。このような構成により、通電復帰時にバックライト部を装置本体に取り付けることが妨げられない。
【００４０】
また、バックライト部が、装置本体からスライド動作によって着脱可能とするスライド機構部を有するように構成してもよい。図４は、バックライト部がスライド機構部を有する液晶表示装置の概念図である。
【００４１】
バックライト部０４０２の左右両側面には溝０４０３が設けられる。このような溝などがスライド機構部となる。一方、装置本体０４０１には、バックライト部に設けられる溝と対応するように凸型のガイド０４０４が設けられる。この溝とガイドによりバックライト部は装置本体からスライド動作により着脱可能となる。この図においては、バックライト部を装置本体から垂直上方に抜き出す態様となっているが、水平方向に抜き出す態様にてスライド機構部を設けてもよい。
【００４２】
スライド機構部は、バックライト部を着脱するスライド動作を案内する他、例えば、バックライト部が有する蓄電部０４０５へ電源を供給するためのコネクタとしての機能を付与してもよい。これによれば、バックライト部が着状態においては、このスライド機構部により蓄電部に対する蓄電が行われ、脱状態となった際はコネクタの接続が解除されたことをトリガとして蓄電部から第二供給部への電源供給が行われるように構成することもできる。
＜実施形態２  効果＞
【００４３】
本実施形態の液晶表示装置により、装置本体とバックライト部との着脱の規制を装置本体の電源と連動させることができ、停電時において直ちにバックライト部を取り外すことなどが可能となる。
【符号の説明】
【００４４】
０１０１  装置本体
０１０２  バックライト部
【図１】
2013125153.tif 000003
【図２】
2013125153.tif 000004
【図３】
2013125153.tif 000005
【図４】
2013125153.tif 000006